【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
記録媒体にアクセスするためのアクセス手段を制御する光ディスク装置であって、
前記記録媒体は、少なくとも１つの領域を含み、
前記領域に、データが記録されている少なくとも１つの第１記録済領域が含まれているか否かを判定する判定手段と、
前記領域に前記少なくとも１つの第１記録済領域が含まれていると判定した場合には、前記第１記録済領域に対するアクセス結果に基づいて、前記アクセス手段を制御し、前記領域に前記第１記録済領域が含まれていないと判定した場合には、前記領域のうちの少なくとも１つにデータを記録して、少なくとも１つの第２記録済領域を作成するように前記アクセス手段を制御し、前記第２記録済領域に対するアクセス結果に基づいて、前記アクセス手段を制御する制御手段と
を備えた光ディスク装置。
【請求項２】
記録媒体にアクセスするためのアクセス手段を制御する光ディスク装置であって、
前記記録媒体は、少なくとも１つの領域を含み、
前記光ディスク装置は、さらに不揮発メモリを備え、
前記不揮発メモリには、少なくとも前記アクセス手段の制御のためのアクセス手段制御パラメータが格納されており、
前記領域に、データが記録されている少なくとも１つの第１記録済領域が含まれているか否かを判定する判定手段と、
前記領域に前記少なくとも１つの第１記録済領域が含まれていると判定した場合には、前記第１記録済領域に対するアクセス結果に基づいて、前記アクセス手段を制御し、前記領域に前記第１記録済領域が含まれていないと判定した場合には、前記不揮発メモリに格納されている前記アクセス手段の制御のためのアクセス手段制御パラメータに基づいて、前記アクセス手段を制御する制御手段と
を備えた光ディスク装置。
【請求項３】
記録媒体にアクセスするためのアクセス手段を制御する光ディスク装置であって、
前記記録媒体は、少なくとも１つの領域を含み、
前記領域に、データが記録されている少なくとも１つの第１記録済領域が含まれているか否かを判定する判定手段と、
前記領域に前記少なくとも１つの第１記録済領域が含まれていると判定した場合には、前記第１記録済領域に対するアクセス結果に基づいて、前記アクセス手段を制御し、前記領域に前記第１記録済領域が含まれていないと判定した場合には、前記アクセス手段が前記領域のうちの少なくとも１つの未記録領域にアクセスするように、前記アクセス手段を制御し、前記未記録領域に対するアクセス結果に基づいて、前記アクセス手段を制御する制御手段と
を備えた光ディスク装置。
【請求項４】
前記第１記録済領域は、物理フォーマットに関する要求に伴って記録された領域を含む、請求項１〜３のいずれかに記載の光ディスク装置。
【請求項５】
前記第１記録済領域は、前記記録媒体上の欠陥領域を管理するための欠陥管理情報が記録された少なくとも１つの欠陥管理領域を含む、請求項１〜３のいずれかに記載の光ディスク装置。
【請求項６】
前記第１記録済領域は、制御情報が格納された少なくとも１つの制御データ領域を含む、請求項１〜３のいずれかに記載の光ディスク装置。
【請求項７】
前記第１記録済領域は、ユーザデータが記録されたユーザデータ領域を含む、請求項１〜３のいずれかに記載の光ディスク装置。
【請求項８】
前記判定手段は、前記少なくとも１つの領域からデータを再生し、データが正常に再生されたか否かを判定し、正常に再生されたか否かの判定結果に基づいて、前記第１記録済領域が含まれているか否かを判定する、請求項１〜３のいずれかに記載の光ディスク装置。
【請求項９】
前記判定手段は、前記少なくとも１つの領域に光を照射し、反射した光を検出し、前記検出された光の量に基づいて、前記第１記録済領域が含まれているか否かを判定する、請求項１〜３のいずれかに記載の光ディスク装置。
【請求項１０】
前記判定手段は、アドレス情報を含むサブコード情報の取得状態に基づいて、前記第１記録済領域が含まれるか否かを判定する、請求項１〜３のいずれかに記載の光ディスク装置。
【請求項１１】
前記記録媒体に予め記録されている前記アクセス手段の制御のためのアクセス手段制御パラメータに基づいて、前記第２記録済領域を作成する、請求項１に記載の光ディスク装置。
【請求項１２】
前記光ディスク装置は、さらに不揮発メモリを備え、
前記不揮発メモリには、少なくとも前記アクセス手段の制御のためのアクセス手段制御パラメータが格納されており、
前記不揮発メモリに格納されている前記アクセス手段制御パラメータに基づいて、前記第２記録済領域を作成する、請求項１に記載の光ディスク装置。
【請求項１３】
前記アクセス手段の制御のためのアクセス手段制御パラメータを調整して、前記調整して得られたアクセス手段制御パラメータに基づいて、前記第２記録済領域を作成する、請求項１に記載の光ディスク装置。
【請求項１４】
前記アクセス手段は、物理フォーマットに関する要求に応じて、前記第２記録済領域を作成する、請求項１に記載の光ディスク装置。
【請求項１５】
記録媒体にアクセスするためのアクセス手段を制御する制御方法であって、
前記記録媒体は、少なくとも１つの領域を含み、
前記領域に、データが記録されている少なくとも１つの第１記録済領域が含まれているか否かを判定する判定ステップと、
前記領域に前記少なくとも１つの第１記録済領域が含まれていると判定した場合には、前記第１記録済領域に対するアクセス結果に基づいて、前記アクセス手段を制御し、前記領域に前記第１記録済領域が含まれていないと判定した場合には、前記領域のうちの少なくとも１つにデータを記録して、少なくとも１つの第２記録済領域を作成するように前記アクセス手段を制御し、前記第２記録済領域に対するアクセス結果に基づいて、前記アクセス手段を制御する制御ステップと
を包含する制御方法。
【請求項１６】
記録媒体にアクセスするためのアクセス手段を制御する制御方法であって、
前記記録媒体は、少なくとも１つの領域を含み、
前記領域に、データが記録されている少なくとも１つの第１記録済領域が含まれているか否かを判定する判定ステップと、
前記領域に前記少なくとも１つの第１記録済領域が含まれていると判定した場合には、前記第１記録済領域に対するアクセス結果に基づいて、前記アクセス手段を制御し、前記領域に前記第１記録済領域が含まれていないと判定した場合には、不揮発メモリに格納されている前記アクセス手段の制御のためのアクセス手段制御パラメータに基づいて、前記アクセス手段を制御する制御ステップと
を包含する制御方法。
【請求項１７】
記録媒体にアクセスするためのアクセス手段を制御する制御方法であって、
前記記録媒体は、少なくとも１つの領域を含み、
前記領域に、データが記録されている少なくとも１つの第１記録済領域が含まれているか否かを判定する判定ステップと、
前記領域に前記少なくとも１つの第１記録済領域が含まれていると判定した場合には、前記第１記録済領域に対するアクセス結果に基づいて、前記アクセス手段を制御し、前記領域に前記第１記録済領域が含まれていないと判定した場合には、前記アクセス手段が前記領域のうちの少なくとも１つの未記録領域にアクセスするように、前記アクセス手段を制御し、前記未記録領域に対するアクセス結果に基づいて、前記アクセス手段を制御する制御ステップと
を包含する制御方法。
【請求項１８】
前記第１記録済領域は、物理フォーマットに関する要求に伴って記録された領域を含む、請求項１５〜１７のいずれかに記載の制御方法。
【請求項１９】
前記第１記録済領域は、前記記録媒体上の欠陥領域を管理するための欠陥管理情報が記録された少なくとも１つの欠陥管理領域を含む、請求項１５〜１７のいずれかに記載の制御方法。
【請求項２０】
前記第１記録済領域は、制御情報が格納された少なくとも１つの制御データ領域を含む、請求項１５〜１７のいずれかに記載の制御方法。
【請求項２１】
前記第１記録済領域は、ユーザデータが記録されたユーザデータ領域を含む、請求項１５〜１７のいずれかに記載の制御方法。
【請求項２２】
前記判定ステップは、前記少なくとも１つの領域からデータを再生し、データが正常に再生されたか否かを判定し、正常に再生されたか否かの判定結果に基づいて、前記第１記録済領域が含まれているか否かを判定する、請求項１５〜１７のいずれかに記載の制御方法。
【請求項２３】
前記判定ステップは、前記少なくとも１つの領域に光を照射し、反射した光を検出し、前記検出された光の量に基づいて、前記第１記録済領域が含まれているか否かを判定する、請求項１５〜１７のいずれかに記載の制御方法。
【請求項２４】
前記判定ステップは、アドレス情報を含むサブコード情報の取得状態に基づいて、前記第１記録済領域が含まれるか否かを判定する、請求項１５〜１７のいずれかに記載の制御方法。
【請求項２５】
前記記録媒体に予め記録されている前記アクセス手段の制御のためのアクセス手段制御パラメータに基づいて、前記第２記録済領域を作成する、請求項１５に記載の制御方法。
【請求項２６】
前記制御方法は、さらに不揮発メモリを用い、
前記不揮発メモリには、少なくとも前記アクセス手段の制御のためのアクセス手段制御パラメータが格納されており、
前記不揮発メモリに格納されている前記アクセス手段制御パラメータに基づいて、前記第２記録済領域を作成する、請求項１５に記載の制御方法。
【請求項２７】
前記アクセス手段の制御のためのアクセス手段制御パラメータを調整して、前記調整して得られたアクセス手段制御パラメータに基づいて、前記第２記録済領域を作成する、請求項１５に記載の制御方法。
【請求項２８】
前記アクセス手段は、物理フォーマットに関する要求に応じて、前記第２記録済領域を作成する、請求項１５に記載の制御方法。
【請求項２９】
記録媒体にアクセスするためのアクセス手段を制御する制御処理を実行するプログラムであって、
前記記録媒体は、少なくとも１つの領域を含み、
前記領域に、データが記録されている少なくとも１つの第１記録済領域が含まれているか否かを判定する判定ステップと、
前記領域に前記少なくとも１つの第１記録済領域が含まれていると判定した場合には、前記第１記録済領域に対するアクセス結果に基づいて、前記アクセス手段を制御し、前記領域に前記第１記録済領域が含まれていないと判定した場合には、前記領域のうちの少なくとも１つにデータを記録して、少なくとも１つの第２記録済領域を作成するように前記アクセス手段を制御し、前記第２記録済領域に対するアクセス結果に基づいて、前記アクセス手段を制御する制御ステップと
を包含するプログラム。
【請求項３０】
記録媒体にアクセスするためのアクセス手段を制御する制御処理を実行するプログラムであって、
前記記録媒体は、少なくとも１つの領域を含み、
前記領域に、データが記録されている少なくとも１つの第１記録済領域が含まれているか否かを判定する判定ステップと、
前記領域に前記少なくとも１つの第１記録済領域が含まれていると判定した場合には、前記第１記録済領域に対するアクセス結果に基づいて、前記アクセス手段を制御し、前記領域に前記第１記録済領域が含まれていないと判定した場合には、不揮発メモリに格納されている前記アクセス手段の制御のためのアクセス手段制御パラメータに基づいて、前記アクセス手段を制御する制御ステップと
を包含するプログラム。
【請求項３１】
記録媒体にアクセスするためのアクセス手段を制御する制御処理を実行するプログラムであって、
前記記録媒体は、少なくとも１つの領域を含み、
前記領域に、データが記録されている少なくとも１つの第１記録済領域が含まれているか否かを判定する判定ステップと、
前記領域に前記少なくとも１つの第１記録済領域が含まれていると判定した場合には、前記第１記録済領域に対するアクセス結果に基づいて、前記アクセス手段を制御し、前記領域に前記第１記録済領域が含まれていないと判定した場合には、前記アクセス手段が前記領域のうちの少なくとも１つの未記録領域にアクセスするように、前記アクセス手段を制御し、前記未記録領域に対するアクセス結果に基づいて、前記アクセス手段を制御する制御ステップと
を包含するプログラム。
【請求項３２】
複数の領域を含む記録媒体であって、
前記複数の領域は、ユーザデータを記録するための少なくとも１つのユーザデータ領域と、制御情報を格納するための少なくとも２つの制御データ領域とを含み、
前記制御データ領域は、離散的に配置されており、
前記ユーザデータ領域のうちの少なくとも１つの領域が記録済領域である場合には、少なくとも２つの前記制御データ領域が記録済領域である、記録媒体。
【請求項３３】
複数の領域を含む記録媒体であって、
前記複数の領域は、ユーザデータを記録するための少なくとも１つのユーザデータ領域と、制御情報を格納するための少なくとも２つの制御データ領域とを含み、
前記制御データ領域は、離散的に配置されており、
媒体初期化処理の間に、少なくとも２つの前記制御データ領域が記録済領域に変更するように構成されている、記録媒体。
【請求項３４】
１つ以上の記録層を持つ記録媒体であって、
前記記録媒体は、ユーザデータを記録するための少なくとも１つのユーザデータ領域と、各層各々に、制御情報を格納するための少なくとも１つの制御データ領域とを含み、
前記ユーザデータ領域のうちの少なくとも１つの領域が記録済領域である場合には、各々の層において、少なくとも１つの前記制御データ領域が記録済領域である、記録媒体。
【請求項３５】
１つ以上の記録層を持つ記録媒体であって、
前記記録媒体は、ユーザデータを記録するための少なくとも１つのユーザデータ領域と、各層各々に、制御情報を格納するための少なくとも１つの制御データ領域とを含み、
媒体初期化処理の間に、各々の層において、少なくとも１つの前記制御データ領域が記録済領域に変更するように構成されている、記録媒体。